Podtech/llm-jp-corpus-v4-ja_patent huggingface dataset:
【手続補正書】
【提出日】平成23年4月5日(2011.4.5)
【手続補正１】
【補正対象書類名】特許請求の範囲
【補正対象項目名】全文
【補正方法】変更
【補正の内容】
【特許請求の範囲】
【請求項１】
可視光領域の入射光のうち、第１偏光は透過し、第２偏光は反射するナノワイヤーグリッド偏光子において、
誘電体層と、
前記誘電体層の内部にナノワイヤーが互いに平行に離隔されて周期的に配列された複数個のナノワイヤーアレイ層と、を備え、
前記複数個のナノワイヤーアレイ層が互いに離隔されるように積層されたことを特徴とするナノワイヤーグリッド偏光子。
【請求項２】
前記ナノワイヤーは、金属で形成されたことを特徴とする請求項１に記載のナノワイヤーグリッド偏光子。
【請求項３】
前記ナノワイヤーは、アルミニウム、銀、金、銅、ニッケルのうちいずれか一つで形成されたことを特徴とする請求項２に記載のナノワイヤーグリッド偏光子。
【請求項４】
前記ナノワイヤーは、円形、楕円形または四角形の断面形状を有することを特徴とする請求項１〜３のいずれか一項に記載のナノワイヤーグリッド偏光子。
【請求項５】
前記ナノワイヤーグリッド偏光子をナノワイヤーの長手方向に対して垂直にカットした断面から見るとき、前記ナノワイヤーは、周期的な三角格子状または四角格子状に配列されることを特徴とする請求項１〜４のいずれか一項に記載のナノワイヤーグリッド偏光子。
【請求項６】
前記ナノワイヤーの直径と配列間隔距離との比は、０．４から０．７の範囲を有することを特徴とする請求項１〜５のいずれか一項に記載のナノワイヤーグリッド偏光子。
【請求項７】
前記複数個のナノワイヤーアレイ層のうち、最下層にあるナノワイヤーの下端から最上層にあるナノワイヤーの上端までの距離は、９６から４００ｎｍの範囲を有することを特徴とする請求項１〜６のいずれか一項に記載のナノワイヤーグリッド偏光子。
【請求項８】
可視光領域の入射光のうち、第１偏光は透過し、第２偏光は反射するナノワイヤーグリッド偏光子において、
基板と、
前記基板上に配列され、ワイヤーコアと前記ワイヤーコアを取り囲んだシェルとを有するコア−シェルナノワイヤーが平行かつ周期的に配列された複数個のナノワイヤーアレイ層と、を備え、
前記複数個のナノワイヤーアレイ層が積層されたことを特徴とするナノワイヤーグリッド偏光子。
【請求項９】
前記ワイヤーコアは、金属で形成されたことを特徴とする請求項８に記載のナノワイヤーグリッド偏光子。
【請求項１０】
前記ナノワイヤーは、アルミニウム、銀、金、銅、ニッケルのうちいずれか一つで形成されたことを特徴とする請求項９に記載のナノワイヤーグリッド偏光子。
【手続補正書】
【提出日】平成23年6月17日(2011.6.17)
【手続補正１】
【補正対象書類名】特許請求の範囲
【補正対象項目名】請求項９
【補正方法】変更
【補正の内容】
【請求項９】
前記第１ダイオードもしくは前記第２ダイオードまたは前記第１スイッチング素子もしくは前記第２スイッチング素子はＳｉＣを材料とすることを特徴とする請求項１乃至６のいずれか１項に記載の半導体スイッチング装置。
【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
表示部の画面上で複数の撮影条件を設定するカメラにおいて、
上記表示部の画面上において少なくとも水平方向及び垂直方向を操作方向とする操作部と、
上記撮影条件に関する各設定項目とこの設定項目の個々の条件を各設定項目毎にオブジェクト単位で表わし、当該複数のオブジェクトを上記表示部に水平方向と垂直方向に分けて配列表示させる設定項目表示制御部と、
を具備し、
上記設定項目表示制御部は、上記水平方向に配列される第１のオブジェクトについては、上記操作部の水平方向操作によって当該第１のオブジェクトの中でいずれかのオブジェクトを選択させ、選択されたオブジェクトに係る設定項目では上記操作部の垂直方向操作によって個々の条件を切換えて表示し、
上記垂直方向に配列される第２のオブジェクトについては、上記操作部の垂直方向操作によって当該第２のオブジェクトの中でいずれかのオブジェクトを選択させ、選択されたオブジェクトに係る設定項目では上記操作部の水平方向操作によって個々の条件を切換えて表示することを特徴とするカメラ。
【請求項２】
上記設定項目表示制御部は、上記設定項目の中で個々の条件が数値条件であるオブジェクトについては、当該数値条件を水平な数値軸で表わすように前記第２のオブジェクトに割り当てることを特徴とする請求項１に記載のカメラ。
【請求項３】
上記個々の条件が数値条件であるオブジェクトとなる設定項目には、シャッター速度値または絞り値または露出補正値のうちの少なくとも一つが含まれることを特徴とする請求項２に記載のカメラ。
【手続補正書】
【提出日】平成23年8月4日(2011.8.4)
【手続補正１】
【補正対象書類名】明細書
【補正対象項目名】００２１
【補正方法】変更
【補正の内容】
【００２１】
この発明に係る電動機固定子の製造方法は、バックヨーク部から突出し、インシュレータがそれぞれ組み込まれた複数のティース部に、張力を付与しながらコイルを複数層巻回する電動機固定子の製造方法であって、前記インシュレータと直接接触する巻線１層目のコイルを巻回するときにはコイルに一定の第１の張力を付与し、巻線２層目以降のコイルを巻回するときにはコイルに一定の第２の張力を付与し、前記第１の張力＜前記第２の張力、とする。
【手続補正２】
【補正対象書類名】明細書
【補正対象項目名】００２２
【補正方法】変更
【補正の内容】
【００２２】
この発明の電動機固定子の製造方法によれば、インシュレータと直接接触する巻線１層目（最下層）に巻回するコイルに付与する張力を、巻線２層目以降に巻回するコイルに付与する張力より軽減するように構成したので、コイルを高密度に巻回しながら巻線１層目（最下層）のコイルの絶縁皮膜の劣化を防止し、高性能な電動機固定子を製造することができる。
【手続補正３】
【補正対象書類名】特許請求の範囲
【補正対象項目名】請求項１
【補正方法】変更
【補正の内容】
【請求項１】
バックヨーク部から突出し、インシュレータがそれぞれ組み込まれた複数のティース部に、張力を付与しながらコイルを複数層巻回する電動機固定子の製造方法であって、
前記インシュレータと直接接触する巻線１層目のコイルを巻回するときにはコイルに一定の第１の張力を付与し、
巻線２層目以降のコイルを巻回するときにはコイルに一定の第２の張力を付与し、
前記第１の張力＜前記第２の張力、
とすることを特徴とする電動機固定子の製造方法。
【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
１つまたは複数の参照ビームと、物体ビームまたは復元された物体ビームとの共軸配置を用いて、及び、光ビームを変調する１つまたは複数の空間光変調器を用いて、ホログラフィック記憶媒体からのデータページの読出しおよび／またはホログラフィック記憶媒体へのデータページの書込みを行う装置であって、
前記１つまたは複数の空間光変調器は、前記データページの空間周波数よりも高い空間周波数を有する変調パターンで前記光ビームを変調することによって前記１つまたは複数の参照ビームを生成するように適合されることを特徴とする装置。
【請求項２】
前記データページと前記変調パターンとの重畳によって前記光ビームを変調するための単一の空間光変調器を有することを特徴とする請求項１に記載の装置。
【請求項３】
前記データページおよび前記変調パターンを用いて前記光ビームを直列に変調するための２つの空間光変調器を有することを特徴とする請求項１に記載の装置。
【請求項４】
前記変調パターンで前記光ビームを変調するための前記空間光変調器は、固定変調パターンを有することを特徴とする請求項３に記載の装置。
【請求項５】
前記変調パターンで前記光ビームを変調するための前記空間光変調器は、位相マスクまたは振幅マスクであることを特徴とする請求項３または４に記載の装置。
【請求項６】
前記１つまたは複数の参照ビームから前記復元された物体ビームを分離するためにフーリエ面に空間フィルタをさらに有することを特徴とする請求項１から５のいずれか一項に記載の装置。
【請求項７】
前記データページのデータ画素は、前記１つまたは複数の空間光変調器の画素の群によって形成されることを特徴とする請求項１から６のいずれか一に記載の装置。
【請求項８】
１つまたは複数の参照ビームおよび物体ビームの共軸配置を使用してホログラフィック記憶媒体にデータページを書き込む方法であって、
前記１つまたは複数の参照ビームを生成するため、前記データページの空間周波数よりも高い空間周波数を有する変調パターンで光ビームを変調するステップを有することを特徴とする方法。
【請求項９】
前記光ビームは、前記データページと前記変調パターンとの重畳を用いて変調されることを特徴とする請求項８に記載の方法。
【請求項１０】
前記光ビームは、前記データページおよび前記変調パターンを用いて直列に変調されることを特徴とする請求項８に記載の方法。
【請求項１１】
１つまたは複数の参照ビームおよび復元された物体ビームの共軸配置を使用してホログラフィック記憶媒体からデータページを読み込む方法であって、
前記１つまたは複数の参照ビームを生成するため、前記データページの空間周波数よりも高い空間周波数を有する変調パターンで光ビームを変調するステップを有することを特徴とする方法。
【請求項１２】
空間フィルタリングによって、前記復元された物体ビームを前記１つまたは複数の参照ビームから分離するステップをさらに有することを特徴とする請求項１１に記載の方法。
【請求項１３】
空間周波数の範囲を有するデータパターンで変調された物体ビームと１つまたは複数の参照ビームとの重畳を表すホログラムとして記録された少なくとも１つのデータページを含むホログラフィック記憶媒体であって、
前記１つまたは複数の参照ビームは、前記物体ビームの前記空間周波数よりも高い空間周波数を有する変調パターンで変調されることを特徴とするホログラフィック記憶媒体。
【手続補正書】
【提出日】平成23年1月4日(2011.1.4)
【手続補正１】
【補正対象書類名】特許請求の範囲
【補正対象項目名】全文
【補正方法】変更
【補正の内容】
【特許請求の範囲】
【請求項１】
構内の所定位置に設置される警報送信機と、前記警報送信機の送信する緊急信号を無線で受信する警報受信装置と、無線受信機能を有する警報機とを備えた学校向けセキュリティシステムであって、
前記警報送信機は、緊急時に操作する操作部と、前記操作部が操作されると緊急信号を一定時間無線で送信する送信部とを備え、
前記警報受信装置は、前記警報送信機から送信された緊急信号を無線で受信する受信機と、前記受信機が緊急信号を受信すると予め登録された箇所に自動的に通報する自動通報装置と、前記受信機が緊急信号を受信すると予め登録された内容が緊急放送される校内放送設備と、前記受信機が受信した緊急信号の発信源を電算機にて特定して表示する通報表示器とを備え、
前記警報機は、緊急信号を受信する受信部と、緊急信号を受信すると警報を発生する警報部とを備え、
緊急信号を受信すると作動状態に移行し、緊急信号を送信した前記送信機の周囲の状況を撮影する監視カメラと、前記監視カメラで撮影した映像を録画する録画装置及び表示するディスプレイ画面とを備えていることを特徴とする学校向けセキュリティシステム。
【請求項２】
前記警報送信機が固定式と携帯式とから構成されていることを特徴とする請求項１に記載の学校向けセキュリティシステム。
【請求項３】
前記警報機の警報部が、光で異常を知らせる光警報部と音で異常を知らせる音警報部とから構成されていることを特徴とする請求項１若しくは２に記載の学校向けセキュリティシステム。
【請求項４】
前記通報表示器は、発信源の場所をデジタルで個別具体的に表示することを特徴とする請求項１乃至３のいずれかに記載の学校向けセキュリティシステム。
【手続補正２】
【補正対象書類名】明細書
【補正対象項目名】０００８
【補正方法】変更
【補正の内容】
【０００８】
上記目的を達成するため、本発明の請求項１による学校向けセキュリティシステムは、構内の所定位置に設置される警報送信機と、前記警報送信機の送信する緊急信号を無線で受信する警報受信装置と、無線受信機能を有する警報機とを備えた学校向けセキュリティシステムであって、前記警報送信機は、緊急時に操作する操作部と、前記操作部が操作されると緊急信号を一定時間無線で送信する送信部とを備え、前記警報受信装置は、前記警報送信機から送信された緊急信号を無線で受信する受信機と、前記受信機が緊急信号を受信すると予め登録された箇所に自動的に通報する自動通報装置と、前記受信機が緊急信号を受信すると予め登録された内容が緊急放送される校内放送設備と、前記受信機が受信した緊急信号の発信源を電算機にて特定して表示する通報表示器とを備え、前記警報機は、緊急信号を受信する受信部と、緊急信号を受信すると警報を発生する警報部とを備え、緊急信号を受信すると作動状態に移行し、緊急信号を送信した前記送信機の周囲の状況を撮影する監視カメラと、前記監視カメラで撮影した映像を録画する録画装置及び表示するディスプレイ画面とを備えていることを特徴とするものである。
【手続補正３】
【補正対象書類名】明細書
【補正対象項目名】０００９
【補正方法】変更
【補正の内容】
【０００９】
また、本発明の請求項２による学校向けセキュリティシステムは、請求項１に記載の学校向けセキュリティシステムであって、前記警報送信機が固定式と携帯式とから構成されていることを特徴とするものである。
【手続補正４】
【補正対象書類名】明細書
【補正対象項目名】００１０
【補正方法】変更
【補正の内容】
【００１０】
また、本発明の請求項３による学校向けセキュリティシステムは、請求項１若しくは２に記載の学校向けセキュリティシステムであって、前記警報機の警報部が、光で異常を知らせる光警報部と音で異常を知らせる音警報部とから構成されていることを特徴とするものである。
【手続補正５】
【補正対象書類名】明細書
【補正対象項目名】００１１
【補正方法】変更
【補正の内容】
【００１１】
また、本発明の請求項４による学校向けセキュリティシステムは、請求項１乃至３のいずれかに記載の学校向けセキュリティシステムであって、前記通報表示器は、発信源の場所をデジタルで個別具体的に表示することを特徴とするものである。
【手続補正６】
【補正対象書類名】明細書
【補正対象項目名】００１２
【補正方法】削除
【補正の内容】
【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
定電圧を生成する回路と、フィルタと、フィードバック回路と、を有し、
前記定電圧を生成する回路の出力は、前記フィルタを介して前記フィードバック回路の入力に電気的に接続されていることを特徴とする半導体装置。
【請求項２】
請求項１において、
回路部を有し、
前記定電圧を生成する回路の出力は、前記回路部の入力に電気的に接続され、
前記回路部の入力は、前記フィルタを介して前記フィードバック回路の入力に電気的に接続されていることを特徴とする半導体装置。
【請求項３】
請求項１又は請求項２において、
交流信号から直流電圧を生成する入力回路を有し、
前記入力回路の出力は、前記定電圧を生成する回路の入力に電気的に接続されていることを特徴とする半導体装置。
【請求項４】
請求項１乃至請求項３のいずれか一項において、
前記フィルタは、容量素子と、第１の抵抗素子又はインダクタ素子から構成される第１の素子と、を有し、
前記フィードバック回路は、トランジスタと、第２の抵抗素子から構成される第２の素子と、を有し、
前記定電圧を生成する回路の出力は、前記第１の素子の一端及び前記容量素子の一端に電気的に接続され、
前記トランジスタのゲートは、前記第１の素子の他端に電気的に接続され、
前記トランジスタのソース又はドレインの一方は、前記第２の素子の一端に電気的に接続され、
前記トランジスタのソース又はドレインの他方及び前記容量素子の他端は、低電源電位が印加される配線に電気的に接続されていることを特徴とする半導体装置。
【請求項５】
請求項４において、
アンテナを有し、
前記アンテナの一端は、前記第２の素子の一端に電気的に接続されており
前記アンテナの他端は、前記低電源電位が印加される配線に電気的に接続されていることを特徴とする半導体装置。
【請求項６】
請求項１乃至請求項５のいずれか一項において、
複数のトランジスタを有する素子群と、前記素子群が貼り付けられた曲面を有する基板と、を有し、
前記定電圧を生成する回路と前記フィルタと前記フィードバック回路とは、前記素子群を用いて形成されており、
前記複数のトランジスタのキャリアの移動方向が前記曲面が弧を描く方向と直交するように、前記素子群が前記基板に貼り付けられていることを特徴とする半導体装置。
【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
経糸および緯糸のうちの少なくともいずれか一方にガラス繊維からなる嵩高糸を用いた織布と、前記織布に含浸されたゴムとからなる繊維−ゴム複合材料層を備え、
前記繊維−ゴム複合材料層の内部に空隙を有し、
前記繊維−ゴム複合材料層中の前記織布を構成する繊維に対する前記ゴムの体積比率が、５〜５０％である、熱プレス用クッション材。
【請求項２】
前記繊維−ゴム複合材料層中の前記織布を構成する繊維に対する前記ゴムの体積比率が、５〜３５％である、請求項１に記載の熱プレス用クッション材。
【請求項３】
前記繊維−ゴム複合材料層の空隙率が、２０〜６５％である、請求項１または２に記載の熱プレス用クッション材。
【請求項４】
前記経糸および緯糸の両者が、嵩高糸である、請求項１〜３のいずれかに記載の熱プレス用クッション材。
【請求項５】
前記織布は、１重織または多重織されたものである、請求項１〜４のいずれかに記載の熱プレス用クッション材。
【請求項６】
前記嵩高糸はバルキーヤーンである、請求項１〜５のいずれかに記載の熱プレス用クッション材。
【請求項７】
前記ゴムは、フッ素ゴム、ＥＰＭ、ＥＰＤＭ、水素化ニトリルゴム、シリコーンゴム、アクリルゴムおよびブチルゴムからなる群から選ばれる１種のゴムまたは２種以上のゴムの混合物である、請求項１〜６のいずれかに記載の熱プレス用クッション材。
【請求項８】
前記繊維−ゴム複合材料からなる層を１層以上と、織布、不織布、紙、フィルム、箔、シートおよび板の中から選ばれた１種以上からなる１層以上とを積層一体化してなる、請求項１〜７のいずれかに記載の熱プレス用クッション材。
【請求項９】
経糸および緯糸のうちの少なくともいずれか一方にガラス繊維からなる嵩高糸を用いた織布を用意する工程と、
前記織布に未加硫ゴム溶液を浸透させる工程と、
前記織布に浸透した前記未加硫ゴム溶液を乾燥させる工程と、
乾燥した未加硫ゴムを加硫する工程とを備える、熱プレス用クッション材の製造方法。
【手続補正書】
【提出日】平成23年10月28日(2011.10.28)
【手続補正１】
【補正対象書類名】特許請求の範囲
【補正対象項目名】全文
【補正方法】変更
【補正の内容】
【特許請求の範囲】
【請求項１】
発光素子を内蔵する光学アダプタを挿入部の先端部に着脱自在な内視鏡装置であって、
前記発光素子を駆動するための発光素子駆動電源回路と、
前記発光素子に流れる電流の電流値を所定の電流値に制御する定電流回路と、
前記発光素子駆動電源回路と前記発光素子との間に設けられ、前記内視鏡の挿入部内を挿通する信号線の単一故障時に、前記発光素子に流れる前記電流を制限する電流制限手段と、
を有することを特徴とする内視鏡装置。
【請求項２】
前記光学アダプタに設けられ、前記発光素子と並列に接続された着脱判定用素子と、
前記着脱判定用素子に接続され、前記発光素子の着脱を判定するための着脱判定用電源回路と、
前記着脱判定用素子に接続され、前記発光素子の着脱を判定するための着脱判定回路と、
をさらに有し、
前記電流制限手段は、前記発光素子駆動電源回路から前記発光素子への前記電流を制限する位置で、かつ前記着脱判定用電源回路から前記着脱判定用素子への前記電流を制限しない位置に配置されていることを特徴とする請求項１に記載の内視鏡装置。
【請求項３】
前記着脱判定用電源回路からの電力を前記着脱判定用素子へ供給し、前記着脱判定回路による前記発光素子の着脱の判定結果に基づいて、前記着脱判定用電源回路から前記着脱判定用素子への電力の供給を、前記発光素子駆動電源回路から前記発光素子への電力の供給へと切り替える制御部をさらに有することを特徴とする請求項２に記載の内視鏡装置。
【請求項４】
前記制御部は、前記着脱判定回路による前記発光素子の着脱の判定結果に基づいて、前記定電流回路の前記所定の電流値の設定を行うことを特徴とする請求項３に記載の内視鏡装置。
【請求項５】
前記光学アダプタに設けられ、前記発光素子と並列に接続された種類判定用素子と、
前記種類判定用素子に接続され、前記発光素子の種類を判定するための種類判定用電源回路と、
前記種類判定用素子に接続され、前記発光素子の種類を判定するための種類判定回路と、
をさらに有し、
前記電流制限手段は、前記発光素子駆動電源回路から前記発光素子への前記電流を制限し、かつ前記種類判定用電源回路から前記種類判定用素子への前記電流を制限しないように配置されていることを特徴とする請求項１に記載の内視鏡装置。
【請求項６】
前記種類判定用電源回路からの電力を前記種類判定用素子へ供給し、前記種類判定回路による前記発光素子の種類の判定結果に基づいて、前記種類判定用電源回路から前記種類判定用素子への電力の供給を、前記発光素子駆動電源回路から前記発光素子への電力の供給への切り替える制御部をさらに有することを特徴とする請求項５に記載の内視鏡装置。
【請求項７】
前記制御部は、前記種類判定回路による前記発光素子の種類の判定結果に基づいて、前記定電流回路の前記所定の電流値の設定を行うことを特徴とする請求項６に記載の内視鏡装置。
【請求項８】
前記発光素子駆動電源回路の電圧値は、前記発光素子の順方向電圧の電圧値よりも小さな値であり、
前記定電流回路が電流を引き込む先としてのマイナス電源回路を有することを特徴とする請求項１に記載の内視鏡装置。
【請求項９】
前記着脱判定用電源回路と前記発光素子駆動電源回路とを一つの電源により構成し、
前記定電流回路が電流を引き込む先としてのマイナス電源回路を有することを特徴とする請求項２から４のいずれか１つに記載の内視鏡装置。
【請求項１０】
前記種類判定用電源回路と前記発光素子駆動電源回路とを一つの電源により構成し、
前記定電流回路が電流を引き込む先としてのマイナス電源回路を有することを特徴とする請求項５から７のいずれか１つに記載の内視鏡装置。
【請求項１１】
前記電流制限手段は、前記発光素子駆動電源回路に内蔵された過電流保護機能の回路であることを特徴とする請求項１から１０のいずれか１つに記載の内視鏡装置。
【請求項１２】
前記電流制限手段は、少なくとも抵抗器を備えた回路であることを特徴とする請求項１から１０のいずれか１つに記載の内視鏡装置。
【請求項１３】
前記電流制限手段は、正特性サーミスタであることを特徴とする請求項１から１０のいずれか１つに記載の内視鏡装置。
【手続補正書】
【提出日】平成22年12月16日(2010.12.16)
【手続補正１】
【補正対象書類名】特許請求の範囲
【補正対象項目名】請求項１
【補正方法】変更
【補正の内容】
【請求項１】
予め定められた所定箇所の遊技媒体の通過を検知する通過検知手段と、
当該通過検知手段の検知結果を入力し、その入力した検知結果に基づいて、前記所定箇所の遊技媒体の通過を特定する制御手段と、
を備えた遊技機において、
前記制御手段は、
前記通過検知手段の検知結果を入力する入力手段と、
当該入力手段に入力されている入力情報を、確認タイミングとなる度に確認する確認手段と、
当該確認手段により確認された前記入力情報を履歴情報として記憶するとともに、当該履歴情報を前記確認手段によるその後の複数回の確認タイミングに亘って記憶保持する履歴記憶手段と、
当該履歴記憶手段に記憶された前記履歴情報に基づいて前記通過検知手段にて遊技媒体の通過を検知していることを特定する通過特定手段と、
を備えており、
前記履歴記憶手段は、所定の確認タイミングを含めて３回以上の回数として定められた基準回数分の確認タイミングに対応した前記検知結果の情報を、前記履歴情報に基づいて前記通過特定手段にて把握することが可能なように前記履歴情報を記憶するものであり、
前記通過特定手段は、前記基準回数分の前記検知結果の情報のうち、最初の回又は最後の回のいずれか一方が遊技媒体を検知していない検知結果に対応した情報であり、その他が遊技媒体を検知している検知結果に対応した情報である場合に、前記通過検知手段にて遊技媒体の通過を検知しているとする演算結果となる演算処理を実行する演算処理実行手段を備え、当該演算処理実行手段の演算結果に基づいて、前記通過検知手段にて遊技媒体の通過を検知していることを特定するものであり、
さらに、前記入力手段は、前記入力情報を、複数の通過検知手段の検知結果に対応させて入力するとともに、
前記履歴記憶手段は、前記履歴情報を、前記各入力情報に対応させて記憶するものであり、
前記演算処理実行手段は、前記各通過検知手段のそれぞれについて演算結果を得るように前記演算処理を実行するものであることを特徴とする遊技機。
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
遊技内容が払出遊技内容となったことに基づいて払出指令情報を出力する主制御手段と、
前記払出指令情報を入力したことに基づいて遊技媒体が払い出されるように払出手段を制御する払出制御手段と、
を備えた遊技機において、
前記払出制御手段は、
入力した払出指令情報が正常なものであるか否かを判定する情報判定手段と、
入力した払出指令情報が正常なものであることが前記情報判定手段により判定された場合に、当該払出指令情報に対応した遊技媒体の払出数の情報又はそれに対応した情報を払出数情報として記憶する払出数記憶手段と、
前記払出数記憶手段に記憶されている前記払出数情報に対応した遊技媒体数の払出を行うべく前記払出手段を駆動制御する払出駆動制御手段と、
を備えたことを特徴とする遊技機。
【請求項２】
対応している遊技媒体の払出数が異なっている払出指令情報が複数種設定されており、
各払出指令情報はそれぞれ、予め定められた複数ビットからなり、
前記情報判定手段は、
一の払出指令情報が有する複数ビットの情報を用いて予め定められた演算処理を行う演算手段を備え、
さらに、前記演算手段による演算結果が予め定められた特定結果となった場合に、入力した払出指令情報が正常なものであると判定するものであり、
前記演算手段は、複数種の払出指令情報のうちいずれの払出指令情報に対しても前記演算処理を行うものであり、
前記演算手段による演算結果は、入力した払出指令情報が正常なものである場合、いずれの払出指令情報に対しても同じ結果となることを特徴とする請求項１に記載の遊技機。
【請求項３】
前記各払出指令情報は、
予め定められたビット数によって構成され、全ての払出指令情報において共通した第１特定情報と、
予め定められたビット数によって構成され、前記払出数情報に対応した第２特定情報と、
予め定められたビット数によって構成され、前記演算手段による演算が行われる場合に、その演算結果を同じ結果とするための第３特定情報と、
を有しており、
前記払出制御手段は、前記第１特定情報を参照することによって前記払出指令情報であると特定するものであり、さらに、前記第２特定情報を参照することによって前記払出数情報を特定するものであり、
前記演算手段は、前記第１特定情報と前記第２特定情報と前記第３特定情報とを用いて前記演算処理を行うものであることを特徴とする請求項２に記載の遊技機。
【請求項４】
前記払出指令情報は、予め定められたビット数によって構成される複数の特定情報からなり、
前記情報判定手段は、前記複数の特定情報を用いて、四則演算のうち予め定められた演算処理を行い、その演算処理の結果が予め定められた特定結果となった場合に、入力した払出指令情報が正常なものであると判定することを特徴とする請求項１乃至３のいずれか１に記載の遊技機。
【請求項５】
対応している遊技媒体の払出数が異なっている払出指令情報が複数種設定されており、
前記情報判定手段は、入力した払出指令情報に対応した遊技媒体の払出数が、複数設定されている払出指令情報のうち一の払出指令情報によって払い出される遊技媒体の最大数以下である場合に、当該払出指令情報を正常なものであると判定することを特徴とする請求項１乃至４のいずれか１に記載の遊技機。
【請求項６】
対応している遊技媒体の払出数が異なっている払出指令情報が複数種設定されており、
前記払出制御手段は、前記情報判定手段によって正常な払出指令情報と判定されなかった場合に、当該払出指令情報に対応した払出数情報として予め定められた補正用払出数を前記払出数記憶手段に記憶させることを特徴とする請求項１乃至５のいずれか１に記載の遊技機。
【請求項７】
外部電源から遊技機に電力が供給されていない電断状態において電断時電力を供給する電断時電源手段を備え、
前記主制御手段は、
前記遊技内容が払出遊技内容となったことを特定する遊技内容特定手段と、
当該遊技内容特定手段にて前記払出遊技内容となったことが特定された場合にその特定された払出遊技内容に対応した賞情報を記憶し、さらに自身に電力が供給されている間は情報の記憶保持を可能とするとともに前記電断状態において前記電断時電力を受ける主側記憶手段と、
当該主側記憶手段に記憶されている賞情報に基づいて前記払出制御手段に前記払出指令情報を出力する払出指令情報出力手段と、
を備えており、
前記払出制御手段は、前記払出数記憶手段を備えるとともに、前記払出指令情報に対応した払出数の情報又はそれに対応した情報を特定する賞払出数情報特定手段を備えており、
前記払出数記憶手段は、前記賞払出数情報特定手段に特定された払出数の情報又はそれに対応した情報として払出数情報を記憶し、さらには自身に電力が供給されている間は情報の記憶保持を可能とするとともに前記電断状態において前記電断時電力を受けないことを特徴とする請求項１乃至６のいずれか１に記載の遊技機。
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
遊技内容が払出遊技内容となったことに基づいて払出指令情報を出力する主制御手段と、
前記主制御手段から前記払出指令情報を入力するとともに、遊技機内又は遊技機外の貸出手段から出力される貸出指令情報を入力し、当該払出指令情報又は当該貸出指令情報に対応した数の遊技媒体が払い出されるように払出手段を駆動制御する払出制御手段と、
外部電源から遊技機に電力が供給されていない電断状態において電断時電力を供給する電断時電源手段と、
を備え、
前記主制御手段は、
前記遊技内容が払出遊技内容となったことを特定する遊技内容特定手段と、
当該遊技内容特定手段にて前記払出遊技内容となったことが特定された場合にその特定された払出遊技内容に対応した賞情報を記憶し、さらに自身に電力が供給されている間は情報の記憶保持を可能とするとともに前記電断状態において前記電断時電力を受ける主側記憶手段と、
当該主側記憶手段に記憶されている賞情報に基づいて前記払出制御手段に前記払出指令情報を出力する払出指令情報出力手段と、
を備えており、
前記払出制御手段は、
前記払出指令情報に対応した払出数の情報又はそれに対応した情報を特定する賞払出数情報特定手段と、
前記貸出指令情報に対応した貸出数の情報又はそれに対応した情報を特定する貸出数情報特定手段と、
前記賞払出数情報特定手段に特定された払出数の情報又はそれに対応した情報として賞払出数情報を記憶するとともに、前記貸出数情報特定手段に特定された貸出数の情報又はそれに対応した情報として貸出数情報を記憶し、さらには自身に電力が供給されている間は情報の記憶保持を可能とするとともに前記電断状態において前記電断時電力を受けない払出側記憶手段と、
当該払出側記憶手段に記憶されている前記賞払出数情報に対応した遊技媒体数の払出を行うべく前記払出手段を駆動制御するとともに、前記払出側記憶手段に記憶されている前記貸出数情報に対応した遊技媒体数の払出を行うべく前記払出手段を駆動制御する払出駆動制御手段と、
前記払出側記憶手段に前記賞払出数情報が記憶されたことに基づいて開始された遊技媒体の払出が継続されている場合であって、前記主側記憶手段に前記賞情報が記憶されている場合又は払い出すべき遊技媒体の数が予め定められた規定数以上である場合に、前記貸出指令情報を入力しないよう制限する貸出制限手段と、
を備えたことを特徴とする遊技機。
【請求項２】
遊技内容が払出遊技内容となったことに基づいて払出指令情報を出力する主制御手段と、
前記主制御手段から前記払出指令情報を入力するとともに、遊技機内又は遊技機外の貸出手段から出力される貸出指令情報を入力し、当該払出指令情報又は当該貸出指令情報に対応した数の遊技媒体が払い出されるように払出手段を駆動制御する払出制御手段と、
外部電源から遊技機に電力が供給されていない電断状態において電断時電力を供給する電断時電源手段と、
を備え、
前記主制御手段は、
前記遊技内容が払出遊技内容となったことを特定する遊技内容特定手段と、
当該遊技内容特定手段にて前記払出遊技内容となったことが特定された場合にその特定された払出遊技内容に対応した賞情報を記憶し、さらに自身に電力が供給されている間は情報の記憶保持を可能とするとともに前記電断状態において前記電断時電力を受ける主側記憶手段と、
当該主側記憶手段に記憶されている賞情報に基づいて前記払出制御手段に前記払出指令情報を出力する払出指令情報出力手段と、
を備えており、
前記払出制御手段は、
前記払出指令情報に対応した払出数の情報又はそれに対応した情報を特定する賞払出数情報特定手段と、
前記貸出指令情報に対応した貸出数の情報又はそれに対応した情報を特定する貸出数情報特定手段と、
当該賞払出数情報特定手段に特定された払出数の情報又はそれに対応した情報として賞払出数情報を記憶するとともに、前記貸出数情報特定手段に特定された貸出数の情報又はそれに対応した情報として貸出数情報を記憶し、さらには自身に電力が供給されている間は情報の記憶保持を可能とするとともに前記電断状態において前記電断時電力を受けない払出側記憶手段と、
当該払出側記憶手段に記憶されている前記賞払出数情報に対応した遊技媒体数の払出を行うべく前記払出手段を駆動制御するとともに、前記払出側記憶手段に記憶されている前記貸出数情報に対応した遊技媒体数の払出を行うべく前記払出手段を駆動制御する払出駆動制御手段と、
前記賞払出数情報に対応した遊技媒体の払出が行われている場合には、前記貸出指令情報を入力しないよう制限する貸出制限手段と、
を備えたことを特徴とする遊技機。
【請求項３】
前記貸出手段は、前記貸出指令情報を出力する前に、貸出確認情報を出力するものであり、
前記貸出制限手段は、前記貸出確認情報を入力したことに基づいて、前記賞払出数情報に対応した遊技媒体の払出が行われているか否かを判定する払出判定手段を備え、
前記払出判定手段により、前記賞払出数情報に対応した遊技媒体の払出が行われていると判定された場合に、前記貸出指令情報を入力しないように制限することを特徴とする請求項１又は２に記載の遊技機。
【請求項４】
前記払出制御手段は、前記払出指令情報の出力許可状態又は出力不許可状態のいずれであるかが前記主制御手段において特定可能なように当該主制御手段に許可特定用情報を出力する許可特定用情報出力手段を備えており、
前記払出指令情報出力手段は、前記許可特定用情報に基づいて前記払出指令情報の出力許可状態であることを特定する出力許可状態特定手段を備えており、当該出力許可状態特定手段にて前記出力許可状態であることが特定されている場合に前記払出指令情報を出力するものであることを特徴とする請求項１乃至３のいずれか１に記載の遊技機。
【請求項５】
前記許可特定用情報出力手段は、前記払出側記憶手段に遊技媒体を払い出すべく前記貸出数情報が記憶されている場合、前記許可特定用情報の出力状態を、前記払出指令情報の出力不許可状態であることを前記主制御手段にて特定可能な出力状態に設定するものであることを特徴とする請求項４に記載の遊技機。
【請求項６】
前記許可特定用情報出力手段は、前記貸出指令情報を入力している場合、前記許可特定用情報の出力状態を、前記払出指令情報の出力不許可状態であることを前記主制御手段にて特定可能な出力状態に設定するものであることを特徴とする請求項４又は５に記載の遊技機。
【請求項７】
前記払出駆動制御手段は、
前記払出手段による遊技媒体の払出を阻害する阻害状況であることを特定する阻害状況特定手段と、
当該阻害状況特定手段により前記阻害状況であることが特定された場合に前記払出手段の駆動制御を制限する駆動制御制限手段と、
を備えており、
前記貸出制限手段は、前記阻害状況である場合に前記貸出指令情報を入力しないように制限するものであることを特徴とする請求項１乃至６のいずれか１に記載の遊技機。
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
複数種設定されている払出遊技内容のうちいずれかの遊技内容が発生したことに基づいて遊技媒体の払出を行う払出手段を備えた遊技機において、
前記払出遊技内容に応じた遊技媒体数の情報又はそれに対応した情報を前記払出遊技内容の種類別に遊技情報として記憶する払出遊技内容記憶手段と、
前記払出遊技内容記憶手段に記憶されている遊技情報に基づいて遊技媒体を払い出すよう前記払出手段を駆動制御する払出駆動制御手段と、
を備え、
前記払出遊技内容記憶手段に記憶される種類別の前記遊技情報には払出対象となる優先順位が予め設定されており、
前記払出駆動制御手段による払出制御は、前記払出遊技内容記憶手段に記憶されている遊技情報のうち、前記優先順位の高い遊技情報に対応したものから行われることを特徴とする遊技機。
【請求項２】
前記払出遊技内容として、遊技媒体の払出数が最も多い第１払出遊技内容が設定されており、
前記払出遊技内容記憶手段は、前記第１払出遊技内容が発生した場合に、第１遊技情報を記憶するものであり、
前記第１遊技情報が最も優先されることとなる優先順位の情報を記憶する優先順位記憶手段を備えたことを特徴とする請求項１に記載の遊技機。
【請求項３】
前記払出遊技内容として、前記第１払出遊技内容の他に、第２払出遊技内容と第３払出遊技内容とが設定されており、
前記第３払出遊技内容は、前記第１払出遊技内容よりも遊技媒体の払出が少ないものであり、
前記第２払出遊技内容は、前記第３払出遊技内容よりも遊技媒体の払出が少なく、かつ予め定められた遊技状態において前記第３払出遊技内容よりも発生し易いものであり、
前記払出遊技内容記憶手段は、前記第２払出遊技内容が発生した場合に第２遊技情報を記憶するとともに、前記第３払出遊技内容が発生した場合に第３遊技情報を記憶し、
前記優先順位記憶手段は、前記第１遊技情報が最も優先され、さらに、前記第３遊技情報よりも前記第２遊技情報が優先されることとなる優先順位の情報を記憶していることを特徴とする請求項２に記載の遊技機。
【請求項４】
前記払出遊技内容として、遊技媒体の払出が最も多い第１払出遊技内容と、前記第１払出遊技内容より遊技媒体の払出が少なく、かつ定められた遊技状態において前記第１払出遊技内容よりも発生し易い第２払出遊技内容とが設定されており、
前記払出遊技内容記憶手段は、前記第１払出遊技内容が発生した場合に第１遊技情報を記憶するとともに、前記第２払出遊技内容が発生した場合に第２遊技情報を記憶するものであり、
前記第１遊技情報よりも前記第２遊技情報が優先されることとなる優先順位の情報を記憶する優先順位記憶手段を備えたことを特徴とする請求項１に記載の遊技機。
【請求項５】
前記払出遊技内容記憶手段に記憶されている遊技情報のうち、前記優先順位の高い遊技情報に基づいた払出指令情報を優先して出力する払出指令情報出力手段と、
前記払出指令情報が出力されたことに基づいて当該払出指令情報に対応した遊技媒体の払出数の情報又はそれに対応した情報として払出数情報を記憶する払出数情報記憶手段と、
を備え、
前記払出駆動制御手段は、前記払出数情報記憶手段に記憶されている払出数情報に基づいて遊技媒体を払い出すべく前記払出手段を駆動制御することを特徴とする請求項１乃至４のいずれか１に記載の遊技機。
【請求項６】
前記払出数情報記憶手段に記憶されている前記払出数情報に応じて、前記払出指令情報の出力許可状態又は出力不許可状態のいずれであるかが前記払出指令情報出力手段において特定可能なように許可特定用情報を出力する許可特定用情報出力手段を備え、
前記払出指令情報出力手段は、前記許可特定用情報に基づいて前記払出指令情報の出力許可状態であることを特定する出力許可状態特定手段を備えており、当該出力許可状態特定手段にて前記出力許可状態であることが特定されている場合に前記払出指令情報を出力するものであることを特徴とする請求項５に記載の遊技機。
【請求項７】
外部電源から遊技機に電力が供給されていない電断状態において電断時電力を供給する電断時電源手段を備え、
前記払出遊技内容記憶手段は、前記電断状態において前記電断時電力を受けるものであり、
前記払出数情報記憶手段は、前記電断状態において前記電断時電力を受けないものであることを特徴とする請求項５又は請求項６に記載の遊技機。
【請求項８】
前記払出遊技内容記憶手段は、払出遊技内容の種類別に記憶する複数の記憶領域を有しており、
前記記憶領域のうち少なくとも一の記憶領域に記憶されている遊技情報量が基準情報量に達したことを特定する情報量特定手段と、
所定の教示を行う教示手段と、
前記情報量特定手段によって遊技情報量が基準情報量に達していることが特定された場合に、予め定められた特定教示を行うよう前記教示手段を教示制御する教示制御手段と、を備えたことを特徴とする請求項１乃至７のいずれか１に記載の遊技機。
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
Ａ）Ｌ−アミノ酸生合成に影響する細菌酵素をコードする遺伝子、及び、Ｂ）転写可能であり、配列番号２のペプチド又はその変異体をコードするＤＮＡ断片であって、前記遺伝子の３'末端に連結される前記断片を含む、腸内細菌科に属するＬ−アミノ酸生産細菌。
【請求項２】
エシェリヒア属細菌である請求項１記載の細菌。
【請求項３】
Ｌ−フェニルアラニン生産菌である請求項１または２記載の細菌。
【請求項４】
前記酵素がコリスミ酸ムターゼ／プレフェン酸デヒドロゲナーゼである請求項３記載の細菌。
【請求項５】
Ｌ−ヒスチジン生産菌である請求項１または２記載の細菌。
【請求項６】
前記酵素がホスホグルコースイソメラーゼである請求項５記載の細菌。
【請求項７】
請求項１〜６のいずれか一項に記載の細菌を培地で培養し、該培地から該Ｌ−アミノ酸を単離することを含む、Ｌ−アミノ酸の製造方法。
【請求項８】
前記Ｌ−アミノ酸がＬ−フェニルアラニンである請求項７記載の方法。
【請求項９】
前記Ｌ−アミノ酸がＬ−ヒスチジンである請求項７記載の方法。
【請求項１０】
請求項１〜４のいずれか１項に記載の細菌を培地で培養し、培地にＬ−フェニルアラニンを生成、蓄積させ、アスパラギン酸又はその誘導体と得られたＬ−フェニルアラニンとからα−Ｌ−アスパルチル−Ｌ−フェニルアラニンの低級アルキルエステルを合成することを含む、α−Ｌ−アスパルチル−Ｌ−フェニルアラニンの低級アルキルエステルの製造方法。
【請求項１１】
さらに、Ｌ−フェニルアラニンをエステル化してＬ−フェニルアラニンの低級アルキルエステルを生成し、Ｌ−フェニルアラニンの低級アルキルエステルを、Ｎ−アシル−Ｌ−アスパルトアンヒドリドであるアスパラギン酸誘導体と縮合させ、反応液からＮ−アシル−
α−Ｌ−アスパルチル−Ｌ−フェニルアラニンの低級アルキルエステルを分離し、Ｎ−アシル−α−Ｌ−アスパルチル−Ｌ−フェニルアラニンの低級アルキルエステルを水素化してα−Ｌ−アスパルチル−Ｌ−フェニルアラニンの低級アルキルエステルを生成することを含む、請求項１０記載の方法。
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
被検眼眼底を撮影するための眼底カメラにおいて、
被検眼前眼部を撮影する前眼部撮影手段と、該前眼部撮影手段により撮影された前記前眼部像を表示する表示手段と、被検者の開瞼状態を判断させるための目安となる確認用指標を前記表示手段の画面の所定位置に前記前眼部像とともに表示させる表示制御手段と、を備えることを特徴とする眼底カメラ。
【請求項２】
請求項１の眼底カメラにおいて、
前記確認用指標は被検眼と装置との位置関係がアライメント許容範囲内におかれた状態において、前記表示手段の画面に表示されている前記被検眼の瞼及び睫の許容下限位置を確認することのできる位置に表示されていることを特徴とする眼底カメラ。
【請求項３】
請求項１又は２の眼底カメラにおいて、
前記確認用指標は、瞼及び睫を模した指標であることを特徴とする眼底カメラ。
【請求項４】
請求項１〜請求項３のいずれかの眼底カメラは、
被検眼の眼底を赤外光により照明して眼底を撮影し眼底観察像を得る眼底撮影手段と、前記前眼部像と前記眼底観察像とを切り換えて前記表示手段に表示させる表示切換手段とを有し、前記表示制御手段は前記表示切換手段による前記前眼部像の表示から前記眼底観察像の表示への切り換えに応じて前記確認用指標を非表示とすることを特徴とする眼底カメラ。
【請求項５】
請求項１〜請求項４のいずれかの眼底カメラは、
撮影タイミングを自動的に決定し自動撮影を行う自動撮影モードと検者の意思によって撮影タイミングを決定し撮影を行う手動撮影モードとを選択する撮影モード選択手段を有し、前記表示制御手段は前記撮影モード手段により前記自動撮影モードが選択されているときは前記表示手段の画面に前記確認用指標の表示を行い、前記手動撮影モードが選択されているときは前記確認用指標の表示を行わない表示制御を行うことを特徴とする眼底カメラ。
【手続補正２】
【補正対象書類名】明細書
【補正対象項目名】０００５
【補正方法】変更
【補正の内容】
【０００５】
（１）  被検眼眼底を撮影するための眼底カメラにおいて、
被検眼前眼部を撮影する前眼部撮影手段と、該前眼部撮影手段により撮影された前記前眼部像を表示する表示手段と、被検者の開瞼状態を判断させるための目安となる確認用指標を前記表示手段の画面の所定位置に前記前眼部像とともに表示させる表示制御手段と、を備えることを特徴とする。
（２）  （１）の眼底カメラにおいて、
前記確認用指標は被検眼と装置との位置関係がアライメント許容範囲内におかれた状態において、前記表示手段の画面に表示されている前記被検眼の瞼及び睫の許容下限位置を確認することのできる位置に表示されていることを特徴とする。
（３）  （１）又は（２）の眼底カメラにおいて、
前記確認用指標は、瞼及び睫を模した指標であることを特徴とする。
（４）  （１）〜（３）のいずれかの眼底カメラは、
被検眼の眼底を赤外光により照明して眼底を撮影し眼底観察像を得る眼底撮影手段と、前記前眼部像と前記眼底観察像とを切り換えて前記表示手段に表示させる表示切換手段とを有し、前記表示制御手段は前記表示切換手段による前記前眼部像の表示から前記眼底観察像の表示への切り換えに応じて前記確認用指標を非表示とすることを特徴とする。
（５）  （１）〜（４）のいずれかの眼底カメラは、
撮影タイミングを自動的に決定し自動撮影を行う自動撮影モードと検者の意思によって撮影タイミングを決定し撮影を行う手動撮影モードとを選択する撮影モード選択手段を有し、前記表示制御手段は前記撮影モード手段により前記自動撮影モードが選択されているときは前記表示手段の画面に前記確認用指標の表示を行い、前記手動撮影モードが選択されているときは前記確認用指標の表示を行わない表示制御を行うことを特徴とする。
【手続補正書】
【提出日】平成23年8月16日(2011.8.16)
【手続補正１】
【補正対象書類名】特許請求の範囲
【補正対象項目名】全文
【補正方法】変更
【補正の内容】
【特許請求の範囲】
【請求項１】
非導電性ベースにより支持された複数の整流子セグメントを備えた電気モータ用の整流子であって、前記整流子セグメントは、
導電性本体部分と、電気モータの巻線リードワイヤに係合するために前記本体部分に設けられた少なくとも１つのタングとを含み、
このタングは、導電性で、折り返し可能であり、そして前記本体部分上又はその付近にある近方端と、この近方端から離れた遠方端とを有し、
更に、前記タング上又はその付近に予め成形されたワイヤ受け入れ部分も含み、それにより、前記タングが折り返されたときに、前記遠方端が前記本体部分のブラシ接触表面に接触し、前記ワイヤ受け入れ部分が、ダメージを伴わずに前記巻線リードワイヤを収容するための所定の内部ギャップを与えるとともに、前記巻線リードワイヤに接触する前記タングの表面に形成された導電性の延性材料の層を与えるようになっており、
前記巻線リードワイヤと前記タングは、異なる材料で製造され、前記導電性の延性材料は、前記巻線リードワイヤと前記タングとの間に保護層を与えてガルバニック腐食を減少させるように構成且つ設計されている、
ことを特徴とする整流子。
【請求項２】
前記導電性の延性材料はスズである、請求項１に記載の整流子。
【請求項３】
前記導電性の延性材料は半田である、請求項１に記載の整流子。
【請求項４】
前記半田は、取り付け中に前記巻線リードワイヤの接触部分上に流れてそれを覆うように構成された、請求項３に記載の整流子。
【請求項５】
前記ワイヤ受け入れ部分は、段及び傾斜の一方である、請求項１から４のいずれかに記載の整流子。
【請求項６】
前記段又は傾斜は、前記本体部分から離間されたタング及び前記本体部分の少なくとも一方に設けられる、請求項１から５のいずれかに記載の整流子。
【請求項７】
前記タングは、フック形状である、請求項１から６のいずれかに記載の整流子。
【請求項８】
前記タングが折り返されてブラシ接触面に接触するときに、前記タングの内面が前記ブラシ接触面から離間されて所定の内部ギャップを画成する、請求項１から７のいずれかに記載の整流子。
【請求項９】
前記タングは、前記近方端から遠方端へ延びる長手方向内部縁を含み、この長手方向内部縁は、面取り又は丸み付けされた部分を含む、請求項１から８のいずれかに記載の整流子。
【請求項１０】
固定子と、シャフト及びシャフトに取り付けられた回転子コアを有する回転子と、回転子コアに巻き付けられた導電性巻線と、請求項１から９のいずれかに記載の整流子と、タングが折り返された状態にあるようにして本体部分に接触するブラシギアとを備え、リードワイヤ又は巻線の少なくとも１つが、ワイヤ受け入れ部分により形成された所定のギャップを通過するようにした、電気モータ。
【請求項１１】
前記巻線リードワイヤは、アルミニウムであるか又はそれを含み、前記タングは、銅である、請求項１０に記載の電気モータ。
【請求項１２】
延性材料が前記リードワイヤの一部分を覆い、所定の内部ギャップを埋める、請求項１０又は１１に記載の電気モータ。